(57)【要約】【課題】  局部発振器の動作に由来するアンテナからの放出ノイズを有効に低減する。【解決手段】  制御回路１３０から出力された選局信号に対応する周波数の信号が、受信信号処理回路１２０内の局部発振回路により発生する。こうして発生した局部発振信号及び所定の高調波信号の一部は、受信信号処理回路１２０からアンテナ切替回路１１０へ向けて進行するが、トラップフィルタ部２００によりトラップされる。この結果、局部発振回路に由来する局部発振信号及び所定の倍高調波の周波数の信号のアンテナＡＴＡ１又はアンテナＡＴＡ２への到達が、有効に防止される。【選択図】  図１
2007129527.tif 000002
【特許請求の範囲】
【請求項１】
アンテナで受信した信号中における特定周波数範囲の信号の選択を制御する制御手段と；
前記制御手段からの選択指令に従って、前記特定周波数範囲に対応する局部発振周波数の信号と、前記アンテナで受信した前記特定周波数範囲の信号とを混合し、所定の中間周波数範囲の信号を生成する周波数変換手段を含む受信信号処理手段と；
前記アンテナの信号出力端子に接続され、前記局部発振周波数の信号をトラップする局部発振周波数トラップフィルタ回路を含むトラップ手段と；を備えることを特徴とする受信装置。
【請求項２】
前記トラップ手段は、前記アンテナの信号出力端子に接続され、前記局部発振周波数に対する高調波周波数の信号の少なくとも１つをトラップする高調波周波数トラップフィルタ回路を更に含む、ことを特徴とする請求項１に記載の受信装置。
【請求項３】
前記アンテナの信号出力端子と前記受信信号処理手段の信号入力端子とは、導体信号経路によって接続される、ことを特徴とする請求項１又は２に記載の受信装置。
【請求項４】
前記トラップ手段は、前記受信信号処理手段から出力された同調電圧の値に従って、トラップする信号の周波数を決定する、ことを特徴とする請求項１〜３のいずれか一項に記載の受信装置。
【請求項５】
前記トラップ手段は、前記制御手段から供給されたトラップ用同調電圧の値に従って、トラップする信号の周波数を決定する、ことを特徴とする請求項１〜３のいずれか一項に記載の受信装置。
【発明の詳細な説明】
【技術分野】
【０００１】
本発明は、テレビ放送信号等を受信して処理する受信装置に関するものである。
【背景技術】
【０００２】
従来から、テレビ放送信号等を受信して処理する受信装置が広く普及している。こうした受信装置では、高い周波数を有するテレビ放送信号をアンテナで受信した後に、アンテナで受信した信号を、局部発振器が発生した局部発振周波数の信号と混合し、中間周波数の信号に変換することが、一般的に行われている。
【０００３】
かかる局部発信器は、所望の局部発振周波数の信号を発生するためのものであるが、所望の局部発振周波数の信号と同時にその高調波も同時に発生する。こうした局部発振器が発生した信号における当該局部発振周波数の信号の高調波に由来するいわゆるローカルビートに着目し、ローカルビートの発生を回避する技術が提案されている（特許文献１参照；以下、「従来例」という）。
【０００４】
この従来例においては、局部発振器と信号混合器との間にローパスフィルタを配置する。この結果、局部発振器が発生した局部発振周波数の信号の高調波が、周囲に漏れ出すことを防止するようになっている。
【０００５】
【特許文献１】特開２００４−１２９０７６号公報
【発明の開示】
【発明が解決しようとする課題】
【０００６】
上述した従来例の技術は、局部発振器が発生した局部発振周波数の信号の高調波が周囲に漏れ出すことを防止する観点からは優れた技術である。しかしながら、従来例におけるローパスフィルタは、局部発振周波数の信号を通過させるので、当該局部発振周波数の信号の混合器以外の部分への漏れ出しを防止することはできない。
【０００７】
漏れ出した当該局部発振周波数の信号のうち、アンテナ方向へ進行する成分は、アンテナにまで到達する。そして、当該局部発振周波数の信号成分がアンテナに到達すると、当該局部発振周波数の電波が周囲に放出されることになる。この結果、当該局部発振周波数に近接する周波数の無線信号を利用する装置がアンテナの周囲に存在すると、その装置の動作に悪影響を及ぼす可能性がある。こうした周囲の装置への悪影響を極力回避することが、本発明の課題の一例として挙げられる。
【０００８】
本発明は、上記の事情を鑑みてなされたものであり、局部発振器の動作に由来するアンテナからの放出ノイズを有効に低減することができる受信装置を提供することを目的とする。
【課題を解決するための手段】
【０００９】
請求項１に記載の発明は、アンテナで受信した信号中における特定周波数範囲の信号の選択を制御する制御手段と；前記制御手段からの選択指令に従って、前記特定周波数範囲に対応する局部発振周波数の信号と、前記アンテナで受信した前記特定周波数範囲の信号とを混合し、所定の中間周波数範囲の信号を生成する周波数変換手段を含む受信信号処理手段と；前記アンテナの信号出力端子に接続され、前記局部発振周波数の信号をトラップする局部発振周波数トラップフィルタを含むトラップ手段と；を備えることを特徴とする受信装置である。
【発明を実施するための最良の形態】
【００１０】
［第１実施形態］
まず、本発明に係る第１実施形態を、図１〜３を参照して説明する。本第１実施形態では、アナログテレビ放送信号を２つのアンテナにて受信し、当該２つのアンテナのうちで受信状態がより良好なアンテナで受信した信号を処理する受信装置を例示して説明する。
【００１１】
＜構成＞
図１には、本第１実施形態の受信装置１０１の概略的な構成が、ブロック図にて示されている。図１に示されるように、受信装置１０１は、（ａ）２本のアンテナＡＴＡ１，ＡＴＡ２と、（ｂ）アンテナ切替回路１１０と、（ｃ）アンテナＡＴＡ１又はアンテナＡＴＡ２からの出力信号を処理する受信信号処理手段としての受信信号処理回路１２０と、（ｄ）アンテナＡＴＡ１又はアンテナＡＴＡ２で受信した信号中における特定周波数範囲の信号である特定局信号の選択を制御する制御手段としての制御回路１３０とを備えている。また、受信装置１０１は、（ｅ）アンテナ切替回路１１０の信号出力端子１１０ａと受信信号処理回路１２０の信号入力端子１２０ａとを接続する導体信号経路を伝搬する信号のうち、後述のようにして決定される周波数の信号をトラップするトラップ手段としてのトラップフィルタ部２００を、更に備えている。
【００１２】
アンテナ切替回路１１０は、トランスファスイッチとしての機能を有する。このアンテナ切替回路１１０は、ＦＥＴ（Field Effect Transistor）等から構成される。
【００１３】
アンテナ切替回路１１０は、制御回路１３０からのアンテナ切替信号に従って、アンテナＡＴＡ１及びアンテナＡＴＡ２のいずれかを選択し、信号出力端子１１０ａと接続する。この結果、選択されたアンテナで受信した信号が、信号出力端子１１０ａから出力される。
【００１４】
受信信号処理回路１２０の信号入力端子１２０ａは、アンテナ切替回路１１０の信号出力端子１１０ａと、抵抗素子、容量素子、インダクタンス素子等の介在無しに、導体経路のみを介して接続されている。この受信信号処理回路１２０は、図２に示されるように、前段信号処理回路１２１と、局部発振回路１２７、後段信号処理１２８とを備えている。
【００１５】
前段信号処理回路１２１は、（ｉ）信号入力端子１２０ａから入力された信号の低周波成分を遮断するハイパスフィルタであるアンテナ入力フィルタ１２２と、（ii）アンテナ入力フィルタ１２２を通過した信号を増幅する高周波増幅器（ＲＦ−ＡＭＰ：Radio Frequency-Amplifier）１２３と、（iii）高周波増幅器１２３から出力された信号のうち、特定の周波数範囲の信号を選択的に通過させるバンドパスフィルタ（以下、「ＲＦフィルタ」とも呼ぶ）１２４とを備えている。また、前段信号処理回路１２１は、（iv）ＲＦフィルタ１２４から出力された信号と、後述する局部発振回路１２７から供給された局部発振信号とを混合するミキサ（混合器）１２５と、（ｖ）ミキサ１２５から出力された信号のうち、予め定められた中間周波数範囲の信号を選択して通過させる中間周波数フィルタ１２６とを備えている。さらに、前段信号処理回路１２１は、（vi）選局すべき希望局に対応する周波数の局部発振信号を生成する局部発振回路１２７を備えている。
【００１６】
ここで、アンテナ入力フィルタ１２２は、局部発振回路１２７において生成された同調電圧に従って、遮断する信号の周波数を調整する。このアンテナ入力フィルタ１２２は、上記の中間周波数範囲の信号を有効に遮断するようになっている。
【００１７】
また、高周波増幅器１２３は、後段信号処理回路１２８から出力された自動利得制御（ＡＧＣ：Auto Gain Control）信号に従った増幅率で、入力信号を増幅する。この結果、信号入力端子１２０ａからの入力信号中における希望局の周波数範囲のレベルが低い場合であっても、高周波増幅器１２３は、適切なレベルの増幅信号を出力することができるようになっている。
【００１８】
また、ＲＦフィルタ１２４は、局部発振回路１２７において生成された同調電圧に従って、通過させる信号の周波数範囲を調整する。こうして希望チャネルとの同調が図られる。
【００１９】
また、局部発振回路１２７は、不図示のＤＡ（Digital to Analogue）変換器、電圧制御発振器等を備えて構成される。この局部発振回路１２７は、制御回路１３０から供給されたデジタル形式の選局信号に従って、選局すべき希望局に対応する周波数の局部発振信号を生成し、ミキサ１２５へ供給する。また、局部発振回路１２７は、選局すべき希望局に対応する上述した同調電圧を生成して、アンテナ入力フィルタ１２２、ＲＦフィルタ１２４及びトラップフィルタ部２００へ供給する。
【００２０】
なお、局部発振回路１２７は、選局すべき希望局に対応する所望の周波数の局部発振信号と同時に、当該局部発振信号の周波数の２，３，…倍の周波数を有する高調波信号も、信号レベルは低いながらも、発生してしまう。こうして局部発振回路１２７が発生した局部発振信号及びその高調波信号は、その一部が、前段信号処理回路１２１を介した後、信号入力端子１２０ａからアンテナＡＴＡ１，ＡＴＡ２へ向かって進行する。
【００２１】
上記の後段信号処理回路１２８は、不図示の復調回路等を備えて構成されている。そして、復調回路による復調結果に基づいて、不図示の液晶表示パネル等の表示デバイスに映像が表示されたり、不図示のスピーカから音声が出力されたりする。なお、表示デバイスとしては、液晶表示パネルに以外に、有機ＥＬ（Electro Luminescence）パネル、ＰＤＰ（Plasma Display Panel）等を採用することができる。
【００２２】
また、後段信号処理回路１２８では、復調回路による復調結果に基づいて、上述したＡＧＣ信号が生成される。こうして生成されたＡＧＣ信号は、前段信号処理回路１２１の高周波増幅器１２３へ向けて、後段信号処理回路１２８から出力される。
【００２３】
また、後段信号処理回路１２８は、復調回路による復調結果等に基づいて、受信状況情報を生成する。こうして生成された受信状況情報は、後段信号処理回路１２８から制御回路１３０へ向けて、出力される。
【００２４】
図１に戻り、制御回路１３０は、中央処理装置（ＣＰＵ：Central Processing Unit）、読出専用メモリ（ＲＯＭ：Read Only Memory）、ランダムアクセスメモリ（ＲＡＭ：Random Access Memory）等を備えて構成され、プログラムが実行されるようになっている。こうしたプログラムを実行することにより、制御回路１３０は、（ｉ）不図示の操作入力ユニットから通知された選局指令に対応する選局信号を受信信号処理回路１２０へ向けて出力するという選局制御、及び、（ii）アンテナ切替信号をアンテナ切替回路１１０へ向けて出力し、受信アンテナを切り替えるアンテナ切替制御を含む様々な制御を行うようになっている。
【００２５】
制御回路１３０は、操作入力ユニットから通知された選局指令に対応して、ＶＨＦ（Very High Frequency）選択信号又はＵＨＦ（Ultra High Frequency）選択信号を、トラップフィルタ部２００へ供給する。ここで、操作入力ユニットから通知された選局指令がＶＨＦ局のいずれかの局の選局指令であった場合には、制御回路１３０は、ＶＨＦ選択信号のみを有意レベルとする。一方、操作入力ユニットから通知された選局指令がＵＨＦ局のいずれかの局の選局指令であった場合には、制御回路１３０は、ＵＨＦ選択信号のみを有意レベルとする。すなわち、制御回路１３０は、ＶＨＦ選択信号又はＵＨＦ選択信号を択一的に有意レベルとするようになっている。
【００２６】
トラップフィルタ部２００は、ＶＨＦ用トラップフィルタ部２１０Ｖと、スイッチ回路２２０Ｖとを備えている。また、トラップフィルタ部２００は、ＵＨＦ用トラップフィルタ部２１０Ｕと、スイッチ回路２２０Ｕとを備えている。
【００２７】
ここで、スイッチ回路２２０Ｖは、ＶＨＦ選択信号が有意レベルである場合には閉塞状態となり、ＶＨＦ選択信号が非有意レベルである場合には開放状態となる２端子開閉スイッチの機能を有している。このスイッチ回路２２０Ｖの一方の端子は接地レベルとされるとともに、他方の端子はＶＨＦ用トラップフィルタ部２１０Ｖと接続されている。
【００２８】
また、スイッチ回路２２０Ｕは、ＵＨＦ選択信号が有意レベルである場合には閉塞状態となり、ＵＨＦ選択信号が非有意レベルである場合には開放状態となる２端子開閉スイッチの機能を有している。このスイッチ回路２２０Ｕの一方の端子は接地レベルとされるとともに、他方の端子はＵＨＦ用トラップフィルタ部２１０Ｕと接続されている。
【００２９】
ＶＨＦ用トラップフィルタ部２１０Ｖは、図３に示されるように、局部発振周波数トラップフィルタ回路２１１Ｖと、高調波周波数トラップフィルタ回路２１２Ｖとを備えている。なお、本実施形態では、高調波周波数トラップフィルタ回路２１２Ｖは、スイッチ回路２２０Ｖが閉塞状態にある場合に、局部発振周波数の２倍の周波数の信号をトラップするようになっている。
【００３０】
局部発振周波数トラップフィルタ回路２１１Ｖは、インダクタンス素子ＬＶ１（インダクタンス値ＬＶ１［Ｈ］）と、容量素子ＣＶ（容量値ＣＶ［Ｆ］）と、抵抗素子ＲＶ（抵抗値ＲＶ［Ω］）と、可変容量ダイオードＶＣＶ（容量値ＶＣＶ［Ｆ］）とを備えて構成されている。ここで、インダクタンス素子ＬＶ１の一方の端子は、アンテナ切替回路１１０の信号出力端子１１０ａ及び受信信号処理回路１２０の信号入力端子１２０ａと接続され、他方の端子は、容量素子ＣＶの一方の端子と接続されている。また、容量素子ＣＶの他方の端子は、抵抗素子ＲＶの一方の端子及び可変容量ダイオードＶＣＶの一方の端子と接続されている。そして、抵抗素子ＲＶの他方の端子には受信信号処理回路１２０から出力された同調電圧が印加されるとともに、可変容量ダイオードＶＣＶの他方の端子は、上述したスイッチ回路２２０Ｖの他方の端子と接続されている。なお、抵抗値ＲＶは十分に高い値に設定される。
【００３１】
局部発振周波数トラップフィルタ回路２１１Ｖは、スイッチ回路２２０Ｖの閉塞時に、次の（１）式で定まる周波数ｆV1の近傍の周波数の信号に対して低インピーダンスとなり、他の周波数の信号に対しては高インピーダンスとなる特性を有している。
ｆV1＝１／（２π・（ＬＶ１・ＣＶＳ）1/2）      …（１）
【００３２】
ここで、値ＣＶＳは、容量値ＣＶと容量値ＶＣＶとの合成容量値であり、次の（２）式で表される。
ＣＶＳ＝（ＣＶ・ＶＣＶ）／（ＣＶ＋・ＶＣＶ）      …（２）
【００３３】
容量値ＶＣＶは、同調電圧の値によって変化する。このため、周波数ｆV1は、同調電圧の値によって変化する。また、同調電圧の値は、上述したように局部発振周波数に依存して変化する。
【００３４】
以上のように構成される局部発振周波数トラップフィルタ回路２１１Ｖでは、インダクタンス値ＬＶ１、容量値ＣＶ及び可変容量ダイオードＶＣＶの容量値のＶＨＦ選択時における同調電圧による変化特性が、周波数ｆV1と局部発振周波数とがほぼ一致するように選択される。このため、ＶＨＦ選択時における局部発振周波数が変化しても、スイッチ回路２２０Ｖの閉塞時に、局部発振周波数トラップフィルタ回路２１１Ｖによりトラップされる信号の周波数は、その時点における局部発振周波数にほぼ一致するようになっている。
【００３５】
高調波周波数トラップフィルタ回路２１２Ｖは、局部発振周波数トラップフィルタ回路２１１Ｖと比べて、インダクタンス素子ＬＶ１に代えてインダクタンス素子ＬＶ２（インダクタンス値ＬＶ２）を備える点を除いて、同様に構成されている。ここで、インダクタンス素子ＬＶ２のインダクタンス値は、インダクタンス素子ＬＶ１のインダクタンス値の１／４とされている。このため、高調波周波数トラップフィルタ回路２１２Ｖは、スイッチ回路２２０Ｖの閉塞時に、次の（３）式で定まる周波数ｆV2の近傍の周波数の信号に対して低インピーダンスとなり、他の周波数の信号に対しては高インピーダンスとなる特性を有している。
ｆV2＝１／（２π・（ＬＶ２・ＣＶＳ）1/2）
＝１／（２π・（（ＬＶ１／４）・ＣＶＳ）1/2）＝２ｆV1    …（３）
【００３６】
すなわち、高調波周波数トラップフィルタ回路２１２Ｖは、スイッチ回路２２０Ｖの閉塞時に、局部発振周波数トラップフィルタ回路２１１Ｖによりトラップされる信号の周波数の２倍の周波数の信号をトラップするようになっている。
【００３７】
ＵＨＦ用トラップフィルタ部２１０Ｕは、局部発振周波数トラップフィルタ回路２１１Ｕと、高調波周波数トラップフィルタ回路２１２Ｕとを備えている。なお、本実施形態では、高調波周波数トラップフィルタ回路２１２Ｕは、スイッチ回路２２０Ｕが閉塞時に、局部発振周波数の２倍の周波数の信号をトラップするようになっている。
【００３８】
局部発振周波数トラップフィルタ回路２１１Ｕは、上記の局部発振周波数トラップフィルタ回路２１１Ｖと比べて、インダクタンス素子ＬＶ１に代えてインダクタンス素子ＬＵ１（インダクタンス値ＬＵ１［Ｈ］）を、容量素子ＣＶに代えて容量素子ＣＵ（容量値ＣＵ［Ｆ］）を、抵抗素子ＲＶに代えて抵抗素子ＲＵ（抵抗値ＲＵ［Ω］）を、可変容量ダイオードＶＣＶに代えて可変容量ダイオードＶＣＵ（容量値ＶＣＵ［Ｆ］）を備えている。
【００３９】
局部発振周波数トラップフィルタ回路２１１Ｕは、次の（４）式で定まる周波数ｆU1の近傍の周波数の信号に対して低インピーダンスとなり、他の周波数の信号に対しては高インピーダンスとなる特性を有している。
ｆU1＝１／（２π・（ＬＵ１・ＣＵＳ）1/2）      …（４）
【００４０】
ここで、値ＣＵＳは、容量値ＣＵと容量値ＶＣＵとの合成容量値であり、次の（５）式で表される。
ＣＵＳ＝（ＣＵ・ＶＣＵ）／（ＣＵ＋・ＶＣＵ）      …（５）
【００４１】
容量値ＶＣＵは、上述の容量値ＶＣＵと同様に、同調電圧の値によって変化する。このため、周波数ｆU1は、同調電圧の値によって変化する。また、同調電圧の値は、上述したように局部発振周波数に依存して変化する。
【００４２】
以上のように構成される局部発振周波数トラップフィルタ回路２１１Ｕでは、インダクタンス値ＬＵ１、容量値ＣＵ及び可変容量ダイオードＶＣＵの容量値のＵＨＦ選択時における同調電圧による変化特性が、周波数ｆU1と局部発振周波数とがほぼ一致するように選択される。このため、ＵＨＦ選択時における局部発振周波数が変化しても、局部発振周波数トラップフィルタ回路２１１Ｕによりトラップされる信号の周波数は、その時点における局部発振周波数にほぼ一致するようになっている。
【００４３】
高調波周波数トラップフィルタ回路２１２Ｕは、局部発振周波数トラップフィルタ回路２１１Ｕと比べて、インダクタンス素子ＬＵ１に代えてインダクタンス素子ＬＵ２（インダクタンス値ＬＶ２）を備える点を除いて、同様に構成されている。ここで、インダクタンス素子ＬＵ２のインダクタンス値は、インダクタンス素子ＬＵ１のインダクタンス値の１／４とされている。このため、高調波周波数トラップフィルタ回路２１２Ｕ、スイッチ回路２２０Ｕの閉塞時に、次の（６）式で定まる周波数ｆU2の近傍の周波数の信号に対して低インピーダンスとなり、他の周波数の信号に対しては高インピーダンスとなる特性を有している。
ｆU2＝１／（２π・（ＬＵ２・ＣＵＳ）1/2）
＝１／（２π・（（ＬＵ１／４）・ＣＵＳ）1/2）＝２ｆU1    …（６）
【００４４】
すなわち、高調波周波数トラップフィルタ回路２１２Ｕは、スイッチ回路２２０Ｕの閉塞時に、局部発振周波数トラップフィルタ回路２１１Ｕによりトラップされる信号の周波数の２倍の周波数の信号をトラップするようになっている。
【００４５】
＜動作＞
次に、以上のように構成された受信装置１０１の動作を説明する。
【００４６】
利用者により操作入力ユニットが操作されて選局指令がなされると、この選局指令を制御回路１３０が、選局信号を受信信号処理回路１２０へ向けて出力する。また、制御回路１３０は、ＶＨＦ局が選局された場合にはＶＨＦ選択信号を有意とし、ＶＨＦ局が選局された場合にはＶＨＦ選択信号を有意とする。この結果、スイッチ回路２２０Ｖ及びスイッチ回路２２０Ｕのいずれか一方が閉塞状態となる。ここで、スイッチ回路２２０Ｖが閉塞状態となった場合には、ＶＨＦトラップフィルタ部２１０Ｖによるトラップ動作が有効となる。一方、スイッチ回路２２０Ｕが閉塞状態となった場合には、ＵＨＦトラップフィルタ部２１０Ｕによるトラップ動作が有効となる。
【００４７】
また、選局信号を受けた受信信号処理回路１２０では、局部発振回路１２７が、選局信号により指定された希望局に対応する周波数の局部発振信号を発生し、前段信号処理回路１２１のミキサ１２５に供給する。この局部発振信号の発生と並行して、局部発振回路１２７は、同調電圧を生成し、前段信号処理回路１２１のアンテナ入力フィルタ１２２及びＲＦフィルタ１２４、並びにトラップフィルタ部２００へ供給する。
【００４８】
この状態でアンテナ切替回路１１０の信号出力端子１１０ａから出力された信号は、受信信号処理回路１２０に信号入力端子１２０ａから入力される。この後、受信信号処理回路１２０において、前段信号処理回路１２１による希望局信号の中間周波数信号への変換が行われた後、後段信号処理回路１２８において復調処理が行われる。
【００４９】
こうして得られた復調結果に基づいて、後段信号処理回路１２８は、希望局信号の受信状況情報を生成し、制御回路１３０へ向けて出力する。受信状況情報を受けた制御回路１３０は、受信した受信状況情報に基づいて、希望局信号の受信状況が良好か否かを判断する。受信状況が良好であった場合には、制御回路１３０は、アンテナ切替を指令せずに、そのままの状態で、受信信号処理回路１２０に受信処理を継続させる。
【００５０】
一方、受信状況が良好ではなかった場合には、制御回路１３０が、アンテナ切替信号により、アンテナを切り替えるべき旨を、アンテナ切替回路１１０へ通知する。この通知を受けたアンテナ切替回路１１０は、アンテナを切り替えて、切り替えられたアンテナによる受信信号を信号出力端子１１０ａから出力する。
【００５１】
こうしてアンテナ切替回路１１０から出力された信号は、上記の場合と同様に、受信信号処理回路１２０に信号入力端子１２０ａから入力される。この後、受信信号処理回路１２０において、前段信号処理回路１２１による希望局信号の中間周波数信号への変換が行われた後、後段信号処理回路１２８において復調処理が行われる。そして、復調結果に基づいて、後段信号処理回路１２８は、希望局信号の受信状況情報を生成し、制御回路１３０へ向けて出力する。
【００５２】
こうして、アンテナＡＴＡ１及びアンテナＡＴＡ２のそれぞれに関する受信状況情報が得られると、制御回路１３０は、必要に応じて再度アンテナ切替信号を出力してアンテナを切り替える等して、受信状況がより良好であると判断されたアンテナを選択する。この状態で、受信信号処理回路１２０は、信号入力端子１２０ａから入力された信号を処理し、表示デバイスに映像を表示するとともに、スピーカから音声を出力させる。
【００５３】
以後、希望局信号の受信状況に応じた制御回路１３０によるアンテナ切替が適宜行われる。そして、受信信号処理回路１２０は、信号入力端子１２０ａから入力された信号を処理する。
【００５４】
以上の受信信号処理に際して、アンテナ切替回路１１０から出力された信号は、受信信号処理回路１２０に入力されるとともに、トラップフィルタ部２００へも入力される。ここで、トラップフィルタ部２００は、局部発振周波数及びその２倍の周波数の信号に対しては低インピーダンスとなるが、これらの周波数と大きく異なる希望局信号の周波数の信号に対しては高インピーダンスとなるようになっている。このため、アンテナ切替回路１１０から出力された信号のうちの希望局信号については、トラップフィルタ部２００による減衰が無視できる程度しか発生しない。すなわち、アンテナ切替回路１１０から出力された信号のうちの希望局信号は、ほぼそのままの状態で受信信号処理回路１２０により受信される。
【００５５】
ところで、上述したように、局部発振回路１２７は、選局すべき希望局に対応する所望の周波数の局部発振信号と同時に、当該局部発振信号の周波数の２，３，…倍の周波数を有する高調波信号も、信号レベルは低いながらも、発生してしまう。こうして局部発振回路１２７が発生した局部発振信号及びその高調波信号は、その一部が、前段信号処理路１２１を介した後、信号入力端子１２０ａからアンテナ切替回路１１０へ向かって進行する。こうした局部発振信号の周波数の信号は、希望局がＶＨＦ局の場合には、局部発振周波数トラップフィルタ回路２１１Ｖにより、また、希望局がＵＨＦ局の場合には、局部発振周波数トラップフィルタ回路２１１Ｕにより、効率良くトラップされる。また、局部発振信号の２倍高調波の周波数の信号は、希望局がＶＨＦ局の場合には、高調波周波数トラップフィルタ回路２１２Ｖにより、また、希望局がＵＨＦ局の場合には、高調波周波数トラップフィルタ回路２１２Ｕにより、効率良くトラップされる。
【００５６】
この結果、局部発振回路１２７に由来し、受信信号処理回路１２０からアンテナ切替回路１１０へ向かって進行する局部発振信号及びその２倍高調波信号は、その殆どがアンテナ切替回路１１０に到達しない。
【００５７】
＜作用効果＞
以上説明したように、本第１実施形態に係る受信装置１０１では、トラップフィルタ部２００により、局部発振回路１２７に由来し、受信信号処理回路１２０からアンテナ切替回路１１０へ向かって進行する局部発振信号及びその２倍高調波信号が効率良くトラップされる。したがって、アンテナＡＴＡ１又はアンテナＡＴＡ２から、局部発振回路１２７に由来する局部発振信号及びその２倍高調波の周波数の信号が周囲に放出されることを有効に防止することができる。
【００５８】
また、本第１実施形態に係る受信装置１０１では、アンテナ切替回路１１０と受信信号処理回路１２０との間に介在する素子を有しないトラップフィルタ回路２１１Ｖ，２１２Ｖ，２１１Ｕ，２１２Ｕを採用している。このため、希望局信号の受信処理に悪影響を与えずに、アンテナＡＴＡ１又はアンテナＡＴＡ２から、局部発振回路１２７に由来する局部発振信号及びその２倍高調波の周波数の信号が周囲に放出されることを有効に防止することができる。
【００５９】
［第２実施形態］
次に、本発明に係る第２実施形態を、図４を主に参照して説明する。本第２実施形態では、上記の第１実施形態と同様に、アナログテレビ放送信号を２つのアンテナにて受信し、当該２つのアンテナのうちで受信状態がより良好なアンテナで受信した信号を処理する受信装置を例示して説明する。なお、第２実施形態の説明に際しては、第１実施形態の場合と同一又は同等の要素には同一の符号を付し、重複する説明を省略する。
【００６０】
本第２実施形態に係る受信装置１０２は、図４に示されるように、上記の第１実施形態の受信装置１０１と比べて、（ｉ）制御回路１３０に代えて制御回路１４０を備える点、及び、（ii）トラップフィルタ部２００に供給される同調電圧が、受信信号処理回路１２０からではなく、制御回路１４０からトラップ用同調電圧として供給される点のみか相違している。以下、これらの相違点に主に着目して、説明する。
【００６１】
制御回路１４０は、制御回路１３０’と、ＤＡＣ１３５とを備えている。制御回路１３０’は、第１実施形態の場合における制御回路１３０と比べて、受信信号処理回路１２０へ向けた選局信号の出力と並行して、ＤＡＣ１３５へ向けて、デジタル形式のトラップ周波数指定信号を出力する機能を更に有している点のみが相違している。このトラップ周波数指定信号を受けたＤＡＣ１３５は、トラップ周波数指定信号に対応する値の電圧信号であるトラップ用同調電圧を、トラップフィルタ部２００に供給する。
【００６２】
以上のように構成された受信装置１０２では、受信信号処理部１２０による受信信号処理が、第１実施形態の場合と同様にして行われる。一方、トラップフィルタ部２００は、制御回路１４０から供給されたトラップ用同調電圧に従って、第１実施形態の場合と同様に、アンテナ切替回路１１０と受信信号処理回路１２０との間を伝搬する局部発振信号及びその２倍高調波信号の周波数の信号をトラップする。
【００６３】
以上のように構成された本第２実施形態の受信装置１０２では、第１実施形態の場合と同様に、トラップフィルタ部２００により、局部発振回路１２７に由来し、受信信号処理回路１２０からアンテナ切替回路１１０へ向かって進行する局部発振信号及びその２倍高調波信号が効率良くトラップされる。したがって、アンテナＡＴＡ１又はアンテナＡＴＡ２から、局部発振回路１２７に由来する局部発振信号及びその２倍高調波の周波数の信号が周囲に放出されることを有効に防止することができる。
【００６４】
また、本第２実施形態に係る受信装置１０２では、第１実施形態の場合と同様に、アンテナ切替回路１１０と受信信号処理回路１２０との間に介在する素子を有しないトラップフィルタ回路２１１Ｖ，２１２Ｖ，２１１Ｕ，２１２Ｕを採用している。このため、希望局信号の受信処理に悪影響を与えずに、アンテナＡＴＡ１又はアンテナＡＴＡ２から、局部発振回路１２７に由来する局部発振信号及びその２倍高調波の周波数の信号が周囲に放出されることを有効に防止することができる。
【００６５】
なお、受信信号制御回路１２０において必要となる局部発振周波数の変化に伴う同調電圧値の変化の態様では、第１実施形態の場合のように、受信信号制御回路１２０で生成された同調電圧をトラップフィルタ部２００に供給しても、トラップされる信号の周波数を、局部発振信号及びその２倍高調波の周波数とはできない場合がある。本第２実施形態に係る受信装置１０２の構成によれば、こうした場合においても、第１実施形態の場合と同様の効果を奏することができる。
【００６６】
［第３実施形態］
次に、本発明に係る第３実施形態を、図５〜７を参照して説明する。本第３実施形態では、デジタルテレビ放送信号を２つのアンテナにて受信し、当該２つのアンテナによる受信信号の復調結果を加算する合成ダイバーシチ受信装置を例示して説明する。
【００６７】
＜構成＞
図５には、本第３実施形態の受信装置１０３の概略的な構成が、ブロック図にて示されている。図５に示されるように、受信装置１０３は、（ａ）２本のアンテナＡＴＤ１，ＡＴＤ２と、（ｂ）アンテナＡＴＤ１，ＡＴＤ２からの出力信号を処理する受信信号処理手段としての受信信号処理回路３２０と、（ｄ）アンテナＡＴＤ１又はアンテナＡＴＤ２で受信した信号中における特定周波数範囲の信号である特定局信号の選択を制御する制御手段としての制御回路３３０とを備えている。また、受信装置１０３は、（ｅ）アンテナＡＴＤ１と受信信号処理回路３２０の信号入力端子３２０ａとを接続する導体信号経路を伝搬する信号のうち、後述のようにして決定される周波数の信号をトラップするトラップ手段としてのトラップフィルタ部４１０1と、（ｆ）アンテナＡＴＤ２と受信信号処理回路３２０の信号入力端子３２０ｂとを接続する導体信号経路を伝搬する信号のうち、後述のようにして決定される周波数の信号をトラップするトラップ手段としてのトラップフィルタ部４１０2とを備えている。
【００６８】
受信信号処理回路３２０は、信号入力端子３２０ａ及び信号入力端子３２０ｂを有している。信号入力端子３２０ａは、アンテナＡＴＤ１の信号出力端子と、抵抗素子、容量素子、インダクタンス素子等の介在無しに、導体経路のみを介して接続されている。また、信号入力端子３２０ｂは、アンテナＡＴＤ２の信号出力端子と、抵抗素子、容量素子、インダクタンス素子等の介在無しに、導体経路のみを介して接続されている。
【００６９】
また、受信信号処理回路３２０は、前段信号処理回路３２１1と、前段信号処理回路３２１2と、後段信号処理回路３２８とを備えている。
【００７０】
前段信号処理回路３２１1は、図６に示されるように、（ｉ）信号入力端子３２０ａから入力された信号の低周波成分を遮断するハイパスフィルタであるアンテナ入力フィルタ３２２と、（ii）アンテナ入力フィルタ３２２を通過した信号を増幅する高周波増幅器（ＲＦ−ＡＭＰ）３２３と、（iii）高周波増幅器３２３から出力された信号のうち、特定の周波数範囲の信号を選択的に通過させるバンドパスフィルタ（以下、「ＲＦフィルタ」とも呼ぶ）３２４とを備えている。また、前段信号処理回路３２１1は、（iv）ＲＦフィルタ３２４から出力された信号と、後述する局部発振回路３２７から供給された局部発振信号とを混合するミキサ（混合器）３２５と、（ｖ）ミキサ３２５から出力された信号のうち、予め定められた中間周波数範囲の信号を選択して通過させる中間周波数フィルタ３２６とを備えている。さらに、前段信号処理回路３２１1は、（vi）選局すべき希望局に対応する周波数の局部発振信号を生成する局部発振回路３２７を備えている。
【００７１】
すなわち、前段信号処理回路３２１1は、各構成要素３２２〜３２７のそれぞれが、デジタルテレビ放送信号の周波数帯に応じた特性を有するようにされている点が相違している他は、上述した第１実施形態の場合における前段信号処理回路１２１と同様に構成されている。以下の説明においては、局部発振回路３２７において生成され、アンテナ入力フィルタ３２２、ＲＦフィルタ３２４及びトラップフィルタ部４１０1へ供給される同調電圧を「同調電圧１」と呼ぶものとする。
【００７２】
なお、局部発振回路３２７は、第１実施形態における局部発振回路１２７と同様に、選局すべき希望局に対応する所望の周波数の局部発振信号と同時に、当該局部発振信号の周波数の２，３，…倍の周波数を有する高調波信号も、信号レベルは低いながらも、発生してしまう。こうして局部発振回路３２７が発生した局部発振信号及びその高調波信号は、第１実施形態の場合と同様にして、その一部が、前段信号処理回路３２１1を介した後、信号入力端子３２０ａからアンテナＡＴＤ１へ向かって進行する。
【００７３】
上記の前段信号処理回路３２１2は、上記の前段信号処理回路３２１1と同様に構成されている。以下の説明においては、前段信号処理回路３２１2の局部発振回路３２７において生成され、前段信号処理回路３２１2のアンテナ入力フィルタ３２２、ＲＦフィルタ３２４及びトラップフィルタ部４１０2へ供給される同調電圧を「同調電圧２」と呼ぶものとする。
【００７４】
なお、前段信号処理回路３２１2の局部発振回路３２７も、前段信号処理回路３２１1の局部発振回路３２７と同様に、選局すべき希望局に対応する所望の周波数の局部発振信号と同時に、当該局部発振信号の周波数の２，３，…倍の周波数を有する高調波信号も、信号レベルは低いながらも、発生してしまう。こうして前段信号処理回路３２１2の局部発振回路３２７が発生した局部発振信号及びその高調波信号も、その一部が、前段信号処理回路３２１2を介した後、信号入力端子３２０ａからアンテナＡＴＤ２へ向かって進行する。
【００７５】
上記の後段信号処理回路３２８は、（ｉ）前段信号処理回路３２１1から出力された信号に基づいて復調処理を行う第１復調回路と、（ii）前段信号処理回路３２１2から出力された信号に基づいて復調処理を行う第２復調回路と、（iii）第１復調回路による復調結果と第２復調回路による復調結果とから合成ダイバーシチ出力を求める合成回路と（いずれも不図示）を備えて構成されている。この合成ダイバーシチ出力に基づいて、不図示の液晶表示パネル等の表示デバイスへの映像表示及びスピーカからの音声出力が行われる。また、後段信号処理回路３２８では、ＡＧＣ信号が生成される。
【００７６】
図５に戻り、制御回路３３０は、第１実施形態の制御回路１３０と同様に、中央処理装置（ＣＰＵ：Central Processing Unit）、読出専用メモリ（ＲＯＭ：Read Only Memory）、ランダムアクセスメモリ（ＲＡＭ：Random Access Memory）等を備えて構成され、プログラムが実行されるようになっている。こうしたプログラムを実行することにより、制御回路３３０は、不図示の操作入力ユニットから通知された選局指令に対応する選局信号を受信信号処理回路３２０へ向けて出力するという選局制御を含む様々な制御を行うようになっている。
【００７７】
トラップフィルタ部４１０1は、図７に示されるように、局部発振周波数トラップフィルタ回路４１１と、高調波周波数トラップフィルタ回路４１２とを備えている。なお、本実施形態では、高調波周波数トラップフィルタ回路４１２は、局部発振周波数の２倍の周波数の信号をトラップするようになっている。
【００７８】
局部発振周波数トラップフィルタ回路４１１は、インダクタンス素子ＬＤ１（インダクタンス値ＬＤ１［Ｈ］）と、容量素子ＣＤ（容量値ＣＤ［Ｆ］）と、可変容量ダイオードＶＣＤ（容量値ＶＣＤ［Ｆ］）が直列に接続されるとともに、容量素子ＣＤと可変容量ダイオードＶＣＤとの接続点に抵抗素子ＲＤ（抵抗値ＲＤ［Ω］）の一方の端子が接続されて構成されている。すなわち、局部発振周波数トラップフィルタ回路４１１は、各構成要素の属性値が、デジタル放送信号用の前段信号処理回路３２１1の特性に適合するように選ばれている点を除いて、上述した第１実施形態の場合における局部発振周波数トラップフィルタ回路２１１Ｖ又は局部発振周波数トラップフィルタ回路２１１Ｕと同様に構成されている。
【００７９】
このため、局部発振周波数トラップフィルタ回路４１１は、次の（７）式で定まる周波数ｆD1の近傍の周波数の信号に対して低インピーダンスとなり、他の周波数の信号に対しては高インピーダンスとなる特性を有している。
ｆD1＝１／（２π・（ＬＤ１・ＣＤＳ）1/2）      …（７）
【００８０】
ここで、値ＣＤＳは、容量値ＣＤと容量値ＶＣＤとの合成容量値であり、次の（８）式で表される。
ＣＤＳ＝（ＣＤ・ＶＣＤ）／（ＣＤ＋・ＶＣＤ）      …（８）
【００８１】
容量値ＶＣＤは、前段信号処理回路３２１1から出力される同調電圧１の値によって変化する。このため、周波数ｆD1は、同調電圧１の値によって変化する。また、同調電圧１の値は、前段信号処理回路３２１1における局部発振周波数に依存して変化する。
【００８２】
以上のように構成される局部発振周波数トラップフィルタ回路４１１では、インダクタンス値ＬＤ１、容量値ＣＤ及び可変容量ダイオードＶＣＤの容量値の同調電圧１による変化特性が、周波数ｆD1と前段信号処理回路３２１1における局部発振周波数とがほぼ一致するように選択される。このため、前段信号処理回路３２１1における局部発振周波数が変化しても、局部発振周波数トラップフィルタ回路４１１によりトラップされる信号の周波数は、その時点の前段信号処理回路３２１1における局部発振周波数にほぼ一致するようになっている。
【００８３】
高調波周波数トラップフィルタ回路４１２は、局部発振周波数トラップフィルタ回路４１１と比べて、インダクタンス素子ＬＤ１に代えてインダクタンス素子ＬＤ２（インダクタンス値ＬＤ２）を備える点を除いて、同様に構成されている。ここで、インダクタンス素子ＬＤ２のインダクタンス値は、インダクタンス素子ＬＤ１のインダクタンス値の１／４とされている。このため、高調波周波数トラップフィルタ回路４１２は、次の（９）式で定まる周波数ｆD2の近傍の周波数の信号に対して低インピーダンスとなり、他の周波数の信号に対しては高インピーダンスとなる特性を有している。
ｆD2＝１／（２π・（ＬＤ２・ＣＤＳ）1/2）
＝１／（２π・（（ＬＤ１／４）・ＣＤＳ）1/2）＝２ｆD1    …（９）
【００８４】
すなわち、高調波振周波数トラップフィルタ回路４１２は、局部発振周波数トラップフィルタ回路４１１によりトラップされる信号の周波数の２倍の周波数の信号をトラップするようになっている。
【００８５】
トラップフィルタ部４１０2は、上記のトラップフィルタ部４１０1と同様に構成される。このトラップフィルタ部４１０2には、トラップ周波数の制御信号として、前段信号処理回路３２１2から出力される同調電圧２が印加されるようになっている。このため、トラップフィルタ部４１０2によりトラップされる信号の周波数は、前段信号処理回路３２１2における局部発振信号及びその２倍高調波の周波数となる。ここで、前段信号処理回路３２１2における局部発振周波数と、前段信号処理回路３２１1における局部発振周波数とは同一であることから、トラップフィルタ部４１０2によりトラップされる信号の周波数と、トラップフィルタ部４１０1によりトラップされる信号の周波数とは同一となる。
【００８６】
なお、同様に構成される前段信号処理回路３２１1における局部発振周波数と同調電圧１との関係が、前段信号処理回路３２１2における局部発振周波数と同調電圧１との関係と微妙に異なる場合があり得る。こうした場合には、トラップフィルタ部４１０1における各構成要素の属性値と、トラップフィルタ部４１０2における各構成要素の属性値とは全く同一とできない。このため、トラップフィルタ部４１０1及びトラップフィルタ部４１０2のそれぞれに、例えば、容量値ＣＤを調整できる仕組みを設けておくことが望ましい。
【００８７】
＜動作＞
次に、以上のように構成された受信装置１０３の動作を説明する。
【００８８】
利用者により操作入力ユニットが操作されて選局指令がなされると、この選局指令を制御回路３３０が、選局信号を受信信号処理回路３２０へ向けて出力する。この選局信号を受けた受信信号処理回路３２０では、前段信号処理回路３２１1の局部発振回路３２７が、選局信号により指定された希望局に対応する周波数の局部発振信号を発生し、前段信号処理回路３２１1のミキサ３２５に供給する。この局部発振信号の発生と並行して、前段信号処理回路３２１1の局部発振回路３２７は、同調電圧１を生成し、前段信号処理回路３２１1のアンテナ入力フィルタ３２２及びＲＦフィルタ３２４、並びにトラップフィルタ部４１０1へ供給する。
【００８９】
また、選局信号を受けた受信信号処理回路３２０では、前段信号処理回路３２１2の局部発振回路３２７が、選局信号により指定された希望局に対応する周波数の局部発振信号を発生し、前段信号処理回路３２１2のミキサ３２５に供給する。この局部発振信号の発生と並行して、前段信号処理回路３２１2の局部発振回路３２７は、同調電圧２を生成し、前段信号処理回路３２１2のアンテナ入力フィルタ３２２及びＲＦフィルタ３２４、並びにトラップフィルタ部４１０2へ供給する。
【００９０】
この状態でアンテナＡＴＤ１の信号出力端子から出力された信号は、受信信号処理回路３２０に信号入力端子３２０ａから入力される。この後、前段信号処理回路３２１1による希望局信号の中間周波数信号への変換が行われ、後段信号処理回路３２８へ出力される。
【００９１】
また、アンテナＡＴＤ２の信号出力端子から出力された信号は、受信信号処理回路３２０に信号入力端子３２０ｂから入力される。この後、前段信号処理回路３２１2による希望局信号の中間周波数信号への変換が行われ、後段信号処理回路３２８へ出力される。
【００９２】
以上のようして前段信号処理回路３２１1から出力された信号及び前段信号処理回路３２１2から出力された信号を受けた後段信号処理装置３２８では、第１復調回路が、前段信号処理回路３２１1から出力された信号に基づいて復調処理を行うとともに、第２復調回路が、前段信号処理回路３２１2から出力された信号に基づいて復調処理を行う。そして、合成回路が、第１復調回路による復調結果と第２復調回路による復調結果とから合成ダイバーシチ出力を求める。こうして求められた合成ダイバーシチ出力に基づいて、表示デバイスへの映像表示及びスピーカからの音声出力が行われる。また、後段信号処理回路３２８は、ＡＧＣ信号を生成し、前段信号処理回路３２１1，３２１2へ向けて出力する。
【００９３】
以上の受信信号処理に際して、アンテナＡＴＤ１から出力された信号は、受信信号処理回路３２０に入力されるとともに、トラップフィルタ部４１０1にも入力される。ここで、トラップフィルタ部４１０1は、前段信号処理回路３２１1における局部発振周波数及びその２倍の周波数の信号に対しては低インピーダンスとなるが、これらの周波数と大きく異なる希望局信号の周波数の信号に対しては高インピーダンスとなるようになっている。このため、アンテナＡＴＤ１から出力された信号のうちの希望局信号については、トラップフィルタ部４１０1による減衰が無視できる程度しか発生しない。すなわち、アンテナＡＴＤ１から出力された信号のうちの希望局信号は、ほぼそのままの状態で受信信号処理回路３２０により受信される。
【００９４】
また、アンテナＡＴＤ２から出力された信号は、受信信号処理回路３２０に入力されるとともに、トラップフィルタ部４１０2にも入力される。ここで、トラップフィルタ部４１０2は、前段信号処理回路３２１2における局部発振周波数及びその２倍の周波数の信号に対しては低インピーダンスとなるが、これらの周波数と大きく異なる希望局信号の周波数の信号に対しては高インピーダンスとなるようになっている。このため、アンテナＡＴＤ２から出力された信号のうちの希望局信号については、トラップフィルタ部４１０2による減衰が無視できる程度しか発生しない。すなわち、アンテナＡＴＤ２から出力された信号のうちの希望局信号は、ほぼそのままの状態で受信信号処理回路３２０により受信される。
【００９５】
ところで、上述したように、前段信号処理回路３２１1の局部発振回路３２７は、選局すべき希望局に対応する所望の周波数の局部発振信号と同時に、当該局部発振信号の周波数の２，３，…倍の周波数を有する高調波信号も、信号レベルは低いながらも、発生してしまう。こうして前段信号処理回路３２１1の局部発振回路３２７が発生した局部発振信号及びその高調波信号は、その一部が、前段信号処理回路３２１1を介した後、信号入力端子３２０ａからアンテナＡＴＤ１へ向かって進行する。こうした局部発振信号の周波数の信号は、トラップフィルタ部４１０1における局部発振周波数トラップフィルタ回路４１１により、効率良くトラップされる。また、前段信号処理回路３２１1における局部発振信号の２倍高調波の周波数の信号は、トラップフィルタ部４１０1における高調波周波数トラップフィルタ回路４１２により、効率良くトラップされる。
【００９６】
この結果、前段信号処理回路３２１1の局部発振回路３２７に由来し、受信信号処理回路３２０からアンテナＡＴＤ１へ向かって進行する局部発振信号及びその２倍高調波信号は、その殆どがアンテナＡＴＤ１に到達しない。
【００９７】
また、上述したように、前段信号処理回路３２１2の局部発振回路３２７も、選局すべき希望局に対応する所望の周波数の局部発振信号と同時に、当該局部発振信号の周波数の２，３，…倍の周波数を有する高調波信号も、信号レベルは低いながらも、発生してしまう。こうして前段信号処理回路３２１2の局部発振回路３２７が発生した局部発振信号及びその高調波信号は、その一部が、前段信号処理路３２１2を介した後、信号入力端子３２０ｂからアンテナＡＴＤ２へ向かって進行する。こうした局部発振信号の周波数の信号は、トラップフィルタ部４１０2における局部発振周波数トラップフィルタ回路４１１により、効率良くトラップされる。また、前段信号処理回路３２１2における局部発振信号の２倍高調波の周波数の信号は、トラップフィルタ部４１０2における高調波周波数トラップフィルタ回路４１２により、効率良くトラップされる。
【００９８】
この結果、前段信号処理回路３２１2の局部発振回路３２７に由来し、受信信号処理回路３２０からアンテナＡＴＤ２へ向かって進行する局部発振信号及びその２倍高調波信号は、その殆どがアンテナＡＴＤ２に到達しない。
【００９９】
＜作用効果＞
以上説明したように、本第３実施形態に係る受信装置１０３では、トラップフィルタ部４１０1，４１０2により、前段信号処理回路３２１1，３２１2の局部発振回路３２７に由来し、受信信号処理回路３２０からアンテナＡＴＤ１，ＡＴＤ２へ向かって進行する局部発振信号及びその２倍高調波信号が効率良くトラップされる。したがって、アンテナＡＴＤ１，ＡＴＤ２から、前段信号処理回路３２１1，３２１2の局部発振回路３２７に由来する局部発振信号及びその２倍高調波の周波数の信号が周囲に放出されることを有効に防止することができる。
【０１００】
また、本第３実施形態に係る受信装置１０３では、アンテナＡＴＤ１，ＡＴＤ２と受信信号処理回路３２０との間に介在する素子を有しないトラップフィルタ部４１０1，４１１2を採用している。このため、希望局信号の受信処理に悪影響を与えずに、アンテナＡＴＤ１，ＡＴＤ２から、前段信号処理回路３２１1，３２１2の局部発振回路１２７に由来する局部発振信号及びその２倍高調波の周波数の信号が周囲に放出されることを有効に防止することができる。
【０１０１】
［第４実施形態］
次に、本発明に係る第４実施形態を、図８を主に参照して説明する。本第４実施形態では、上記の第３実施形態と同様に、デジタルテレビ放送信号を２つのアンテナにて受信し、当該２つのアンテナによる受信信号の復調結果を加算する合成ダイバーシチ受信装置を例示して説明する。なお、第４実施形態の説明に際しては、第３実施形態の場合と同一又は同等の要素には同一の符号を付し、重複する説明を省略する。
【０１０２】
本第４実施形態に係る受信装置１０４は、図８に示されるように、上記の第３実施形態の受信装置１０３と比べて、（ｉ）制御回路３３０に代えて制御回路３４０を備える点、及び、（ii）トラップフィルタ部４１０1，４１０2に供給される同調電圧が、受信信号処理回路３２０からではなく、制御回路３４０からトラップ用同調電圧として供給される点のみか相違している。以下、これらの相違点に主に着目して、説明する。
【０１０３】
制御回路３４０は、制御回路３３０’と、ＤＡＣ３３５とを備えている。制御回路３３０’は、第３実施形態の場合における制御回路３３０と比べて、受信信号処理回路３２０へ向けた選局信号の出力と並行して、ＤＡＣ３３５へ向けて、デジタル形式のトラップ周波数指定信号を出力する機能を更に有している点のみが相違している。このトラップ周波数指定信号を受けたＤＡＣ３３５は、トラップ周波数指定信号に対応する値の電圧信号であるトラップ用同調電圧を、トラップフィルタ部４１０1，４１０2に供給する。
【０１０４】
以上のように構成された受信装置１０４では、受信信号処理部３２０による受信信号処理が、第３実施形態の場合と同様にして行われる。一方、トラップフィルタ部４１０1，４１０2は、制御回路３４０から供給されたトラップ用同調電圧に従って、第３実施形態の場合と同様に、アンテナＡＴＤ１，ＡＴＤ２と受信信号処理回路３２０との間を伝搬する前段信号処理回路３２１1，３２１2の局部発振回路３２７が発生した局部発振信号及びその２倍高調波信号の周波数の信号をトラップする。
【０１０５】
なお、本第４実施形態においては、トラップフィルタ部４１０1，４１０2は、全く同一の電圧値によってトラップする周波数が制御されることから、同一の構成とされる。
【０１０６】
以上のように構成された本第４実施形態の受信装置１０４では、第３実施形態の場合と同様に、トラップフィルタ部４１０1，４１０2により、前段信号処理回路３２１1，３２１2の局部発振回路３２７に由来し、受信信号処理回路３２０からアンテナＡＴＤ１，ＡＴＤ２へ向かって進行する局部発振信号及びその２倍高調波信号が効率良くトラップされる。したがって、アンテナＡＴＤ１，ＡＴＤ２から、前段信号処理回路３２１1，３２１2の局部発振回路３２７に由来する局部発振信号及びその２倍高調波の周波数の信号が周囲に放出されることを有効に防止することができる。
【０１０７】
また、本第４実施形態に係る受信装置１０２では、第３実施形態の場合と同様に、アンテナＡＴＤ１，ＡＴＤ２と受信信号処理回路３２０との間に介在する素子を有しないトラップフィルタ部４１０1，４１０2を採用している。このため、希望局信号の受信処理に悪影響を与えずに、アンテナＡＴＤ１，ＡＴＤ２から、前段信号処理回路３２１1，３２１2の局部発振回路３２７に由来する局部発振信号及びその２倍高調波の周波数の信号が周囲に放出されることを有効に防止することができる。
【０１０８】
なお、受信信号制御回路３２０において必要となる局部発振周波数の変化に伴う同調電圧値の変化の態様では、第３実施形態の場合のように、受信信号制御回路３２０で生成された同調電圧をトラップフィルタ部４１０1，４１０2に供給しても、トラップされる信号の周波数を、局部発振信号及びその２倍高調波の周波数とはできない場合がある。本第４実施形態に係る受信装置１０２の構成によれば、こうした場合においても、第３実施形態の場合と同様の効果を奏することができる。
【０１０９】
［実施形態の変形］
本発明は、上記の第１〜４実施形態に限定されるものではなく、様々な変形が可能である。
【０１１０】
例えば、上記の第１〜４実施形態では、トラップフィルタ回路によりトラップする信号の周波数を、受信信号処理回路における局部発振信号及びその２倍高調波の周波数とした。これに対し、トラップする信号の周波数を、局部発振信号の周波数のみとしたり、局部発振信号及び少なくとも１つの所望の高調波の周波数としたりすることができる。
【０１１１】
また、上記の第１〜４実施形態では、アンテナの数を２つとしたが、アンテナの数は１つであってもよいし、３つ以上であってもよい。
【０１１２】
また、上記の第１〜４実施形態では、各トラップフィルタ回路をインダクタンス素子及び容量素子、可変容量ダイオードを直列に接続するとともに、容量素子と可変容量ダイオードとの接続点に抵抗素子が一方の端子が接続される構成とした。これに対し、外部からの電圧信号等の同調信号に対応して、トラップする周波数が変化するトラップフィルタ回路であれば、採用することができる。例えば、図９に示されるトラップフィルタ回路５１０のように、インダクタンス素子ＬＭと容量素子ＣＭ１とを並列接続したものに、容量素子ＣＭ２と可変容量ダイオードＶＣＭとを直列接続するとともに、容量素子ＣＭ２と可変容量ダイオードＶＣＭとの接続点に抵抗素子ＲＭが一方の端子が接続される構成を採用することができる。
【０１１３】
また、受信信号処理回路における局部発振信号の周波数については、アンテナと受信信号処理回路との間にトラップフィルタ回路を配置するとともに、局部発振信号の高調波については、局部発振回路とミキサとの間にローパスフィルタを配置することにより、局部発振に由来する局部発振信号及びその高調波の周波数の信号がアンテナから放出されることを防止するようにしてもよい。
【０１１４】
また、上記の第１〜４実施形態では、テレビ放送信号の受信装置に本発明を適用したが、ラジオ放送信号の受信装置等にも本発明を適用することができる。
【図面の簡単な説明】
【０１１５】
【図１】本発明の第１実施形態に係る受信装置の概略的な構成を示す機能ブロック図である。
【図２】図１の受信信号処理回路の構成を示す機能ブロック図である。
【図３】図１のＶＨＦ用トラップフィルタ回路及びＵＨＦ用トラップフィルタ回路の構成を示す回路図である。
【図４】本発明の第２実施形態に係る受信装置の概略的な構成を示す機能ブロック図である。
【図５】本発明の第３実施形態に係る受信装置の概略的な構成を示す機能ブロック図である。
【図６】図５の前段信号処理回路の構成を説明するための機能ブロック図である。
【図７】図５のトラップフィルタ回路の構成を示す回路図である。
【図８】本発明の第４実施形態に係る受信装置の概略的な構成を示す機能ブロック図である。
【図９】トラップフィルタ回路の変形例の構成を示す回路図である。
【符号の説明】
【０１１６】
１０１，１０２，１０３，１０４    …受信装置
１２０，３２０1，３２０2          …受信信号処理回路（受信信号処理手段）
１３０，１４０，３３０，３４０    …制御回路（制御手段）
２００，４１０1，４１０2          …トラップフィルタ部（トラップ手段）
２１１Ｖ，２１１Ｕ，４１１        …局部発振周波数トラップフィルタ回路
２１２Ｖ，２１２Ｕ，４１２        …高調波周波数トラップフィルタ回路
【図１】
2007129527.tif 000003
【図２】
2007129527.tif 000004
【図３】
2007129527.tif 000005
【図４】
2007129527.tif 000006
【図５】
2007129527.tif 000007
【図６】
2007129527.tif 000008
【図７】
2007129527.tif 000009
【図８】
2007129527.tif 000010
【図９】
2007129527.tif 000011